(57)【要約】【課題】始動入賞情報を遊技機管理装置側で正確に把握することが可能となる遊技機を提供する。【解決手段】打玉が始動口に始動入賞することで可変表示装置の可変表示が行なわれる遊技機において、遊技制御基板に始動入賞情報発信制御手段７３と計時手段７１と計数手段７２とを設けて、始動入賞検知手段２６，２９によって始動入賞が検出されるとその検知情報が一旦計数手段７２へ記憶されるように構成して、始動入賞情報発信制御手段７３から情報中継手段へ始動入賞情報が出力されてから計時手段７１により所定時間が計時された後に計数手段７２に記憶されている検知情報に基づいた始動入賞情報が始動入賞情報発信制御手段７３から情報中継手段へ出力されるように構成することで、短時間に集中して始動入賞が発生しても始動入賞情報が短時間に連続して出力されないように構成した。【選択図】図１３
2006116341.tif 000002
【特許請求の範囲】
【請求項１】
表示状態が変化可能な可変表示装置を有する遊技機であって、
遊技状態に応じて所定の可変表示条件が成立した場合に前記可変表示装置の表示結果を導出表示させる可変表示制御を行なう可変表示制御手段と、
前記可変表示条件の成立を表わす可変表示条件成立情報を該可変表示条件の成立ごとに遊技機外部へ出力可能な遊技情報出力手段とを有し、
前記遊技情報出力手段は前記可変表示条件成立情報の出力間隔が予め定められた期間以上となるように制御することを特徴とする、遊技機。
【発明の詳細な説明】
【技術分野】
【０００１】
本発明は、パチンコ遊技機やコイン遊技機などで代表される遊技機に関し、詳しくは、表示状態が変化可能な可変表示装置を有する遊技機に関する。
【背景技術】
【０００２】
従来から一般的に知られている遊技機として、たとえば、表示状態が変化可能な可変表示装置を有する遊技機であって、打玉が予め定められた始動口に始動入賞するなどして前記可変表示装置を可変表示制御する可変表示条件が成立した場合に該可変表示条件の成立を表わす可変表示条件成立情報を該可変表示条件の成立ごとに遊技機外部へ出力するものがある。
【０００３】
このような従来から知られている遊技機より出力された可変表示条件成立情報は、遊技場の各種遊技機などを集中管理するホール用管理コンピュータなどの管理装置に入力されて、可変表示条件成立回数が計数されていた。そして、この計数情報をもとに打玉が始動口などへ入賞する度合いを調整するための釘調整が行なわれたり、あるいは、いわゆる「ベース」と呼ばれる、１００発の打込玉に対して平均して払出される賞球数データの算出に利用されるなどしていた。
【発明の開示】
【発明が解決しようとする課題】
【０００４】
一方、従来の遊技機においては、複数の可変表示条件が短期間に集中して成立した際には、複数の可変表示条件成立情報が短期間に連続して出力される場合があった。この場合、前記管理装置においてこれらの可変表示条件成立情報のすべてを短期間にすべて処理しきれずに可変表示条件成立情報の認識に欠落が生じるケースがあり、このために可変表示条件成立回数を正確に計数できず、釘調整やベースの算出に狂いが生ずるという不都合が生じていた。
【０００５】
本発明は、係る実情に鑑み考え出されたものであり、その目的は、可変表示条件成立情報を正確に把握可能となる遊技機を提供することである。
【課題を解決するための手段】
【０００６】
請求項１記載の本発明は、表示状態が変化可能な可変表示装置を有する遊技機であって、
遊技状態に応じて所定の可変表示条件が成立した場合に前記可変表示装置の表示結果を導出表示させる可変表示制御を行なう可変表示制御手段と、
前記可変表示条件の成立を表わす可変表示条件成立情報を該可変表示条件の成立ごとに遊技機外部へ出力可能な遊技情報出力手段とを有し、
前記遊技情報出力手段は前記可変表示条件成立情報の出力間隔が予め定められた期間以上となるように制御することを特徴とする。
【０００７】
請求項２記載の本発明は、請求項１記載の発明の構成に加えて、前記可変表示制御が行なわれている最中に前記可変表示条件が成立した場合に、予め定められた記憶数の範囲内で前記可変表示条件の成立回数を加算記憶可能であるとともに、前記可変表示制御手段による可変表示制御が実行されるごとにその成立回数の記憶を減算更新する条件成立回数記憶手段をさらに有し、
前記可変表示制御手段は前記可変表示制御を終了した後、再度可変表示制御可能となった場合に前記条件成立回数記憶手段の記憶に基づいて前記可変表示制御を行ない、
前記遊技情報出力手段は前記可変表示条件成立情報として、前記条件成立回数記憶手段の記憶数の上限を超えているか否かにかかわらず成立した可変表示条件である全可変表示条件の成立を表わす全可変表示条件成立情報と、
前記条件成立回数記憶手段の記憶数の範囲内で成立して前記可変表示制御が有効に行なわれる有効可変表示条件の成立を表わす有効可変表示条件成立情報とを出力可能であり、
さらに前記遊技情報出力手段は、前記有効可変表示条件の成立に基づいた可変表示制御が開始してから所定時期に該有効可変表示条件の成立を表わす有効可変表示条件成立情報を出力可能であることを特徴とする。
【０００８】
請求項３記載の本発明は、請求項２記載の発明の構成に加えて、前記所定時期は、前記有効可変表示条件の成立に基づいた可変表示装置の表示結果が導出表示されて以降であることを特徴とする。
【作用】
【０００９】
請求項１記載の本発明によれば、可変表示制御手段の働きにより、遊技状態に応じて所定の可変表示条件が成立した場合に前記可変表示装置の表示結果を導出表示させる可変表示制御が行なわれる。さらに遊技情報出力手段の働きにより、前記可変表示条件の成立を表わす可変表示条件成立情報が該可変表示条件の成立ごとに遊技機外部へ出力され、さらにその出力間隔が予め定められた期間以上となるように制御される。
【００１０】
請求項２記載の本発明によれば、請求項１記載の発明の作用に加えて、条件成立回数記憶手段の働きにより、前記可変表示制御が行なわれている最中に前記可変表示条件が成立した場合に、予め定められた記憶数の範囲内で可変表示条件の成立回数が加算記憶されるとともに、前記可変表示制御手段による可変表示制御が実行されるごとにその成立回数の記憶が減算更新される。また、前記可変表示制御手段の働きにより、前記可変表示制御が終了した後、再度可変表示制御可能となった場合に前記条件成立回数記憶手段の記憶に基づいて前記可変表示制御が行なわれる。そして、前記遊技情報出力手段の働きにより、前記可変表示条件成立情報として、前記情報成立回数記憶手段の記憶数の上限を超えているか否かにかかわらず成立した可変表示条件である全可変表示条件の成立を表わす全可変表示条件成立情報と、前記条件成立回数記憶手段の記憶数の範囲内で成立して前記可変表示制御が有効に行なわれる有効可変表示条件の成立を表わす有効可変表示条件成立情報とが出力されて、さらに前記有効可変表示条件成立情報については、前記有効可変表示条件の成立に基づいた可変表示制御が開始してから所定時期に出力される。
【００１１】
請求項３記載の本発明によれば、請求項２記載の発明の作用に加えて、前記有効可変表示条件の成立に基づいた可変表示装置の表示結果が導出表示されて以降に前記有効可変表示条件成立情報が出力される。
【発明を実施するための最良の形態】
【００１２】
以下に、本発明の実施の形態を図面に基づいて詳細に説明する。なお、以下の実施の形態においては、遊技機の一例として、パチンコ遊技機を示すが、本発明はこれに限られるものではなく、他にコイン遊技機やスロットマシン、その他の遊技機に適用することも可能である。
【００１３】
図１は、本発明の実施の形態に係る遊技機の遊技盤の構成を示す正面図である。遊技盤１の前面には、２本の区画レール２が円状に植立されている。区画レール２は、外レールおよび内レールから構成され、外レールと内レールとで囲まれた領域を遊技領域３という。
【００１４】
遊技盤１を有するパチンコ遊技機３４（図２参照）には、遊技者が打玉の打込を操作するための打球操作ハンドル４４（図２参照）が設けられている。この打球操作ハンドル４４を遊技者が操作することにより、打玉が１個ずつ発射される。発射された打玉は、外レールと内レールとの間に形成された誘導路によって遊技領域３に導かれる。
【００１５】
遊技領域３の中央には、複数種類の画像を変動表示するための可変表示装置４が設けられている。可変表示装置４の下方には、始動口１０と、可変入賞球装置１１とが設けられている。可変表示装置４は、本実施の形態の場合にはＣＲＴ（液晶表示装置）より構成されており、可変表示部５を有している。また、可変入賞球装置１１の左側の通称「袖部」と呼ばれる位置には、いわゆる電動チューリップからなる可変始動口装置１４が設けられている。遊技領域３の左右には、それぞれサイドランプＡ２２、サイドランプＢ２３が設けられている。サイドランプＡ２２にはランプ３２が設けられており、サイドランプＢ２３にはランプ３１が設けられている。さらに可変表示装置４の上部には入賞口７が設けられている。また、遊技領域３の右下の「袖部」の位置には、入賞口２０が設けられている。
【００１６】
可変入賞球装置１１には、遊技領域３の前後方向に所定範囲で傾動可能な開閉板１２が設けられている。可変入賞球装置１１は、大当りが発生している場合以外においては開閉板１２を閉成状態にし、打玉が入賞不可能な遊技者にとって不利な第２の状態となっている。一方、可変始動口装置１４の始動口１５または可変入賞球装置１１の上部に設けられた始動口１０に打玉が入賞し、始動玉検出器２６または２９が玉を検出することにより、可変表示装置４の可変表示部５上において、３つの図柄の変動表示が行なわれる（以下、それぞれの図柄を特に「特別図柄」という）。この変動表示が停止したとき、３つの図柄の組合せが予め定められた特定の組合せとなって大当りが発生すると、可変入賞球装置１１は上記第２の状態から、打玉が入賞可能な遊技者にとって有利な第１の状態となり、開閉板１１が開成状態となる。なお、大当りが発生する遊技状態を特に特定遊技状態という。
【００１７】
可変入賞球装置１１の前記第１の状態は、開閉板１２が開成状態となった後に、３０秒が経過するか、または、可変入賞球装置１１の大入賞口に打玉が１０個入賞するかのうちのいずれか早い方の条件が成立したことにより終了する。すなわち、上記条件が成立したとき開閉板１２が閉成状態となり、可変入賞球装置１１が遊技者にとって不利な第２の状態となる。大入賞口に入賞した打玉は、可変入賞球装置１１の大入賞口内部に設けられた入賞玉検出器２８により検出される。
【００１８】
大入賞口の内側の左側部分には、通称「Ｖポケット」と呼ばれる特定領域が設けられている。大入賞口に入った打玉がこの特定領域に入賞すれば、その特定入賞玉がＶポケットに設けられた特定玉検出器２７により検出される。特定入賞玉が検出されると、その回の可変入賞球装置１１の遊技者にとって有利な第１の状態が終了するのを待って、再度、可変入賞球装置１１を前記第１の状態に駆動制御する繰り返し継続制御が行なわれる。この繰り返し継続制御により可変入賞球装置１１は最高１６回連続して前記第１の状態となる。なお、大入賞口に入った打玉の個数は、個数表示器２４に逐次表示される。繰り返し継続制御の終了後、遊技者にとって有利な第１の状態から遊技者にとって不利な第２の状態となる。
【００１９】
始動口１０または始動口１５に打玉が入賞して、いわゆる始動入賞が発生したことをきっかけとして、可変表示装置４の可変表示が開始されるが、この可変表示がなされている最中に発生した始動入賞は記憶されて、その始動記憶の個数が始動記憶表示器６の点灯により遊技者に報知される。始動記憶がある場合には、可変表示の停止後に、再びその始動記憶に基づいた可変表示が開始される。始動記憶の上限は、４個に定められている。
【００２０】
遊技領域３には、通過口１３が設けられており、打玉がこの通過口１３を通過すると、その旨が通過玉検出器３０により検出されて、可変始動口装置１４に設けられた可変表示器１７における図柄（以下、可変表示器１７に表示される図柄を普通図柄という）の可変表示が開始される。そして、その可変停止結果が予め定められた図柄になれば、可変始動口装置１４の左右の開閉片１６が開成して、打玉が始動口１５に入賞しやすい状態となる。可変表示器１７の可変表示が行なわれている最中に打玉が通過口１３を通過すれば、その通過数が通過記憶表示器１８に表示される。この通過玉の記憶の上限は４個に定められている。
【００２１】
始動記憶表示器６または通過記憶表示器１８に表示される始動入賞記憶数が上限値に至っている場合には、それ以上始動入賞しても、その入賞は記憶されずに無効となる。そのため、その始動入賞に基づいた特別図柄または普通図柄の可変表示は行なわれない。始動入賞記憶数が上限値に至っていない状態において発生した始動入賞を特に有効始動入賞と呼び、始動入賞した打玉を特に有効始動入賞玉と呼ぶ。これに対し、始動入賞記憶数が上限値に至っている状態において発生した始動入賞を特に無効始動入賞と呼び、始動入賞した打玉を無効始動入賞玉と呼ぶ。
【００２２】
可変表示装置４の左右にはワープ入口と名付けられた、打玉を案内する通路８が設けられている。このワープ入口８に進入した打玉は、始動入賞口１０の上方に設けられたワープ出口９まで案内されて、再度遊技領域３内に放出されて落下する。可変入賞球装置１１の左右には入賞口２１が設けられている。その他、遊技領域３には風車１９が設けられている。
【００２３】
発射された打玉が、いずれの入賞口にも入賞しなかった場合には、アウト口２５に進入して、打玉が回収される。
【００２４】
図２は、図１の遊技盤１を有する第１種のパチンコ遊技機３４とカードユニット３５とを示す全体正面図である。カードユニット３５には、カード利用可表示ランプ４７が設けられており、このカード利用可表示ランプ４７が点灯または点滅しているときにのみこのカードユニット３５が使用可能な状態となっている。このカードユニット３５は、遊技機設置島に設置されている複数台のパチンコ遊技機３４の間に挿入された状態で設置されており、左右どちらの遊技機に接続されているかが連結台方向表示器４９により表示される。そして、遊技者が記録媒体の一例の共通カードをカード挿入口５０から挿入する。すると、その共通カードに記録されている遊技者所有の有価価値の一例のカード残高が読取られる。そして、遊技者が貸玉操作を行なうことにより、予め入力設定されている貸出単位額分の残高が減額されるとともに、その貸出単位額分の打玉が上皿３９内に貸出される。なお、共通カードとは、共通カードシステムに加盟している遊技場であれば全国どこの遊技場であっても共通して使用できる遊技機専用のプリペイドカードのことである。
【００２５】
カード挿入口５０に共通カードが挿入されている状態では、カード利用可表示ランプ４７が点灯または点滅しており、他の遊技者がこの表示を見ることにより、先客がいるか否かを判断することができる。カードユニット３５には端数表示スイッチ４８が設けられており、この端数表示スイッチ４８を押圧操作することにより、たとえばカード残高、カード挿入前の残高、エラーが発生した場合のエラーコードなどの情報を遊技機に設けられた情報表示器（図示省略）に表示可能である。図中５１はカードユニット錠であり、このカードユニット錠５１に所定のキーを挿入して解錠操作することにより、カードユニット３５の前面側を開成できるように構成されている。パチンコ遊技機３４には、その開閉が自在であるガラス枠３７が設けられており、このガラス枠３７に設けられたガラス板からは遊技領域３が視認可能となっている。遊技者が打球操作ハンドル４４を回動操作することにより、上皿３９内に貯留されている打玉が１つずつ遊技領域３内に打込まれる。
【００２６】
遊技領域３の上部の左右には、ステレオ音の効果音を発生するためのスピーカ３６が設けられている。
【００２７】
上皿３９の下方には、上皿３９から上皿玉抜きレバー４０を操作することにより排出される打玉を貯留しておくための下皿４１が設けられており、下皿４１に貯留された打玉は下皿玉抜きレバー４２を操作することにより排出できる。なお、図中３８は前面枠を開閉できないようにするための鍵であり、４３は遊技者が使用する灰皿である。
【００２８】
次に、パチンコ遊技機３４の遊技上の特徴点についてさらに詳細に説明する。可変表示装置４の可変表示部５で可変表示される特別図柄が所定の組合せで停止表示されたとき、大当りが発生するが、大当りとなる特別図柄の組合せの中には確率向上（変動）状態を発生させる特定の組合せが含まれている。この組合せを特に確率変動図柄の組合せと呼ぶ。遊技が確率向上状態にある場合には、通常状態に比べて大当りが発生する確率が高く調整されている。また、可変表示器１７における普通図柄の可変表示結果が当りとなる確率も高く調整されている。さらに当りに基づいた開閉片１６の開成時間が通常状態に比べて長くなり、打玉が始動口１５に入賞する確率が高くなる。本実施の形態に示すパチンコ遊技機３４では、確率変動図柄の組合せに基づいて大当りが発生して、所定回数の繰り返し継続制御がすべて終了した後に１回目の確率変動が生じ、さらに、その後大当りが発生して、所定回数の繰り返し継続制御がすべて終了した後に２回目の確率変動が生じる。１回目または２回目の確率変動時に発生した大当りが確率変動図柄の組合せによるものである場合には、その大当り以降、改めて１回目、２回目の確率変動が生じる。つまり、確率変動図柄の組合せにより大当りとなった場合には、その大当り以降、少なくとも大当りが２回発生するまでの間、繰り返し継続制御が行なわれていない遊技者にとって不利な第２の状態において確率向上状態となる。２回目の確率変動が発生しているときに大当りとなった図柄の組合せが確率変動図柄の組合せでなかった場合、大当りに伴う繰り返し継続制御終了後、確率変動の生じていない通常状態に戻る。遊技状態が確率向上状態にある場合には、飾りＬＥＤ３３（図１参照）が点滅し、その旨が遊技者に報知される。
【００２９】
また、このパチンコ遊技機３４では前述した２回目の高確率状態中に大当りが発生して、所定の繰返し継続制御が終了して確率の変動していない状態に戻った際、普通図柄表示器１７における普通図柄の変動時間（可変表示時間）を短縮する制御（以下、変動時間短縮制御）が行なわれる。変動時間短縮制御は、前述した大当り状態の終了後、可変表示装置が６０回の可変表示をするまで継続される。このような変動時間短縮制御が行なわれると、可動片１６は頻繁に開くため、大当りが発生する確率は向上していなくとも短時間で大当りが発生しやすくなり、遊技者に有利な状態となる。このように大当りが発生する確率を直接向上させることなく、短期間のうちに大当りが発生しやすくなるように調整された遊技状態を特に普電開放向上状態と呼ぶ。さらに、普電開放向上状態でも高確率状態でもなく、また大当り状態（特定遊技状態）でもない状態を特に通常状態と呼ぶ。
【００３０】
普通図柄の変動時間（可変表示時間）は通常状態においては３０秒、変動時間短縮制御がなされる普電開放向上状態においては５秒になる。
【００３１】
なお、パチンコ遊技機３４では、大当りが発生する確率を直接向上させることなく、短期間のうちに大当りが発生しやすくなるように調整された普電開放向上状態を構成するのに変動時間短縮制御が行なわれるように構成したが、その他の手段を用いることも可能である。たとえば、可変始動口装置１４への始動入賞を容易にするために、普通図柄の可変停止結果に基づいて開成する可動片１６の開成時間が長くなるように制御する開成時間延長制御がなされるように構成したり、あるいは、可動片１６の開成回数が多く（たとえば通常状態は１回に対して普電開放向上状態は２回となるようにする）なるように制御する開成回数増加制御がなされるように構成したりすることが考えられる。あるいは、変動時間短縮制御と開成時間延長制御と開成回数増加制御とを組合せて普電開放向上状態を構成してもよい。
【００３２】
さらに本実施の形態に示すパチンコ遊技機３４において大当りとなる特別図柄の組合せを構成する図柄の中に、「ラッキーナンバー」と呼ばれる特定の図柄が含まれている。通常、大当りが発生することにより獲得した賞球は、一旦景品などに交換しなければならず、したがってその賞球を直接遊技に使用することはできない。しかしながら、ラッキーナンバーで大当りが発生した場合には、獲得した賞球を直接遊技に使用することが可能となる。このようなラッキーナンバーで大当りが発生して特定遊技状態に移行することを特にラッキースタートと呼ぶ。
【００３３】
図３は、本発明に用いられる遊技機の他の例を示す第３種のパチンコ遊技機およびカードユニットを示す正面図である。カードユニット３５に関しては図２に示したものと同様の構成であるために、ここでは説明の繰り返しを省略する。
【００３４】
パチンコ遊技機３００の遊技盤３１１の前面に形成されている遊技領域３０１には、複数種類の識別情報を可変表示可能な普通可変表示装置３０２が設けられており、打玉が普通図柄用始動口３０４に入賞して始動入賞玉検出器３０５で検出されることにより、この普通可変表示装置３０２が可変開始した後停止制御される。そして、普通可変表示装置３０２の可変停止時の表示結果が特定の表示態様となればソレノイド３０８が励磁されて普通可変入賞球装置３０６の左右１対の可動部材３０７が開成して遊技者にとって有利な第１の状態となる。この第１の状態は、所定期間（たとえば５秒間）の経過または打玉の所定個数（たとえば３個）の入賞のうちいずれか早い方の条件が成立することにより終了して第２の状態となる。第１の状態となっている普通可変入賞球装置３０６内に進入した打玉は入賞個数検出器３２５により検出される。そして、その始動入賞が最大４個まで記憶されて、始動入賞記憶数が始動記憶表示器３０３に表示される。なお、普通図柄用始動口３０４は上方から進入した打玉がそのまま下方から放出される通過口で構成してもよい。
【００３５】
前記入賞個数検出器３２５で検出された打玉は振分装置３２６に導かれる。この振分装置３２６はモータ３２７により常時回転する回転体３２８が設けられており、この回転体３２８の外周に打玉を受入れて回転誘導するための玉受入れ凹部３３０，３２９が形成されている。そして、前記入賞個数検出器３２５が検出された打玉が玉受入れ凹部３３０内に受入れられれば、通常入賞口３３１に誘導されて通常入賞口３３１内に入賞する。一方、入賞個数検出器３２５で検出された打玉が玉受入れ凹部３２９により受入れられれば、通常入賞口３３１を通り過ぎてその下方に設けられている権利入賞口（特別装置作動口）３３２にまで回転誘導されてその権利入賞口３３２に入賞する。
【００３６】
この権利入賞口３３２に入賞した打玉は権利入賞玉検出スイッチ３３２により検出され、その検出出力に基づいてパチンコ遊技機３００の遊技状態が権利発生状態（特定遊技状態）となる。この権利発生状態の期間中に打玉が大入賞口用始動口３１４に入賞して大入賞口用始動入賞玉検出スイッチ３１５により検出されれば、ソレノイド３１８が励磁されて特別可変入賞球装置３１６の左右１対の可動部材３１７が開成して遊技者にとって有利な第１の状態となる。この第１の状態は、所定期間（たとえば１０秒間）の経過または打玉の所定個数（たとえば１０個）の入賞のうちいずれか早い方の条件が成立することにより終了して遊技者にとって不利な第２の状態となる。この特別可変入賞球装置３１６に入賞した入賞玉が入賞個数検出器３１９により検出され、その検出個数は入賞個数表示器３２１により表示される。さらに、前記権利発生の期間中に再度打玉が大入賞口用始動口３１４に入賞すれば、特別可変入賞球装置３１６を再度第１の状態に駆動制御する繰り返し継続制御が行なわれる。この繰り返し継続制御は、たとえば権利発生中に始動口３１４に１６個入賞するまでと定められており、１６個入賞することにより前記発生した権利が消滅する。現時点における繰り返し継続制御の残り回数が残回数表示器３２０により表示される。一方、権利発生中において打玉が再度権利入賞口３３２内に入賞すれば、発生している権利が消滅する。この権利が消滅した後あるいは権利が発生していない状態では、いくら打玉が大入賞口用始動口３１４に入賞したとしても、特別可変入賞球装置３１６は第１の状態にならない。
【００３７】
遊技領域３０１内に打込まれた打玉が始動入賞口３２２に入賞すれば、可変入賞球装置３２３が開成して遊技者にとって有利な第１の状態となり、その第１の状態となっている可変入賞球装置３２３内に打玉が入賞すれば可変入賞球装置３２３が閉成して第２の状態となる。遊技領域３１１内には、さらに通常入賞口３２２や、装飾ランプ３２４が設けられている。またパチンコ遊技機３００の上方部分には、大当り中や確率変動中に点灯するランプ３１０が設けられている。
【００３８】
その他、普通可変表示装置３０２の可変停止時の表示結果に応じて、確率向上状態が発生する点やラッキースタートとなる点、または可変表示時間の短縮や延長が行なわれる点については、図１および図２に示した第１種のパチンコ遊技機３４と同様の機能を有する。これらの機能についての詳細な説明については、前述した第１種のパチンコ遊技機３４についての説明と重複するので省略する。
【００３９】
図４は、図１および図２に示したパチンコ遊技機とカードユニットの背面図である。なお、図３に示したパチンコ遊技機３００の背面図は、図４のものとほぼ同様であるため、図４を代表例として示しここでは図示を省略する。
【００４０】
カードユニット３５内には、カード処理機制御部７６（図１１，１２参照）とカードリーダライタ制御部（図示省略）とユニットボックス制御部（図示省略）とが設けられている。カード処理機制御部７６とインタフェース基板５９とは電気的に接続されており、カード処理機制御部７６とインタフェース基板５９とが互いに情報の送受信ができるように構成されている。またこのインタフェース基板５９と払出制御基板ボックス５８内に収納されている払出制御基板５８ａが電気的に接続されている。さらに、インタフェース基板５９と中継基板６１とが電気的に接続されており、中継基板６１と、遊技制御基板ボックス５５内に収納されている遊技制御基板５４ａ，賞球払出ユニット５３が、それぞれ電気的に接続されている。
【００４１】
さらに、上皿３９（図２参照）に設けられている各種表示器や各種操作ボタンのスイッチがインタフェース基板５９に接続されている。
【００４２】
カードユニット３５において、所定の貸玉額が入力設定されれば、設定された貸玉額がカード処理機制御部７６に記憶される。遊技者は共通カードをカード挿入口５０に挿入して玉貸動作を行なえば、玉貸額分の打玉が上皿３９内に供給されるとともに、挿入されている共通カードから所定の単位額が玉貸額に相当するまで繰り返し減額される。この単位額分の減額による単位額売上信号が遊技場のホストコンピュータである管理装置６３（図１１，１２参照）に送信されるとともに、遊技場に設置されているターミナルボックスを介してカード発行会社に送信される。また、ユニットボックス制御部にはカードユニット３５の番号であるユニット番号が設定され、その設定番号が管理装置６３に送信されるとともに、ターミナルボックスを介してカード発行会社に送信される。なお、カードリーダライタ制御部はカード挿入口５０から挿入された共通カードの記録データを読取ったり書換えたりするための制御部である。
【００４３】
賞球払出ユニット５３には、払出モータ（図示省略）が設けられており、玉誘導レール５７ｂから供給されてきた打玉がこの払出モータの回転力により横送りされ、その横送りされた打玉が１つずつ下方に落下して、上皿３９内に払出される。玉誘導レール５７ｂは、玉タンク５７ａ内の貯留玉を２列に整列させながら流下させるものであり、その２列の流下経路にそれぞれタンク玉切れスイッチ（図示省略）とレール玉切れスイッチ（図示省略）とが設けられており、玉タンク５７ａ内の貯留玉がなくなったこと、および玉誘導レール５７ｂ上の流下玉がなくなったことが検出され、その検出信号が払出制御基板ボックス５８内の払出制御基板５８ａに入力される。
【００４４】
遊技球貯留タンク５７ａには、遊技機設置島から補給玉が補給装置（図示省略）を介して補給される。この遊技球貯留タンク５７ａに供給される補給玉が補給装置内の補給玉検出器により検出されるのであり、所定個数（たとえば１０個）の補給玉が供給されたことを検出して１パルスの検出信号がこの補給玉検出器から出力される。カードユニット３５からの玉貸要求信号を受けて遊技球貯留タンク５７ａ内の補給玉を上皿３９内に払出すのではなく遊技者が玉貸器から購入してきた貸玉を上皿３９内に投入して遊技を行なう従来の一般的なパチンコ遊技機の場合には、前記補給装置から出力される出力信号が管理装置６３に送信され、管理装置６３ではその送信されてきた検出信号に基づいて遊技場にとって不利益となる不利益球数を検出する。ところが、本実施の形態のように、カードユニット３５からの玉貸要求信号に基づいて遊技球貯留タンク５７ａ内の貯留玉の一部を上皿３９内に払出す方式のパチンコ遊技機においては、その遊技場にとって何ら不利益球数とはならない貸玉が遊技球貯留タンク５７ａに供給されることになり、その供給された貸玉が補給玉貸検出器により検出されて不利益球数情報として管理装置６３に入力されてしまう結果、管理装置６３で正確な不利益球数を計数できないという不都合が生ずる。そこで、パチンコ遊技機３４においては、打玉の入賞に基づいて払出される景品玉が所定個数（たとえば１０個）に達する前に払出制御基板５８ａから所定のパルス信号を出力してその所定のパルス信号が情報出力端子６２から管理装置６３に伝送されるように構成されている。このように構成することにより、打玉の貸出については何ら不利益球数情報としてのパルス信号が管理装置６３に出力されることなく、入賞に伴う景品玉の払出に関してのみパルス信号が管理装置６３に送信され、管理装置６３では正確な不利益球数情報を集計できる。
【００４５】
遊技制御基板ボックス５４内に構成されている遊技制御基板５４ａは、可変表示装置４（図１参照）の可変表示部５を構成する画像表示装置５５、および中継基板６１の情報中継端子６８と配線により接続されている。遊技制御基板ボックス５４の背面右側には、キースイッチ７９が設けられている。このキースイッチ７９は、可変表示装置４の可変停止時の表示結果が特定の識別情報の組合せとなる確率、すなわち大当りが発生する確率を可変設定するものであり、ノーマル位置，設定位置，確認位置の３つの位置に切換操作ができる。このキースイッチ７９に所定の鍵を挿入して切換操作することにより確率が変更設定できるのであり、この切換操作回数に応じて、３段階に確率を切換設定することができる。なお、キースイッチ７９に代えて、たとえばスライドスイッチ，押ボタンスイッチ，スナップスイッチ，プッシュプルスイッチ，ロータリスイッチ，ディジタルスイッチなどであってもよい。
【００４６】
図中６０は打球ユニットであり、遊技者が打球操作ハンドル４４を操作することにより作動して、上皿３９内の打玉を１つずつ遊技領域３内に発射するためのものである。また、電源基板５２にはパチンコ遊技機３４の電源スイッチ５６が設けられている。この電源スイッチ５６を操作することにより電源を一旦切った後再投入することができ、電源の立上げに伴い遊技制御基板５４ａの遊技制御マイクロコンピュータをリセットすることができる。
【００４７】
中継基板６１の情報中継端子６９には、払出制御基板５８ａ、カード処理機制御部７６とがそれぞれ配線により接続されている。遊技制御基板５４ａから情報中継端子６８には、始動口入賞情報やラッキーナンバー情報、大当り情報、確率変動情報、有効始動情報、普通図柄の変動時間が短縮制御されているか否か、または、可動片１６の開成時間延長制御がなされているか否かを示す普電開放向上状態情報などの遊技制御に関する各種遊技情報が伝送される。払出制御基板５８ａから情報中継端子６９には補給情報や玉貸情報、あるいはエラーコード情報が入力される。情報中継端子６８，６９に入力された各種情報は情報出力端子６２を介して遊技機外部へ出力されて、管理装置６３に送信される。ただし、大当り情報、確率変動情報、普電開放向上状態情報は出力態様切換スイッチ６４の操作により決定される合成態様に従って合成が行なわれて、合成された情報が情報出力端子６２から外部へ出力されるように構成されている。
【００４８】
図５は、本実施の形態におけるパチンコ遊技機３４に用いられるランダムカウンタの種類とその内容を示す説明図である。ランダムカウンタとは、可変表示装置４の特別図柄の変動表示制御に用いられる乱数をカウントするカウンタである。本実施の形態では、ＷＣ  ＲＮＤ１，ＷＣ  ＲＮＤ  Ｌ，ＷＣ  ＲＮＤ  Ｃ，ＷＣ  ＲＮＤ  Ｒ，ＷＣ  ＲＮＤ  ＲＣＨの５種類のランダムカウンタが用いられる。これらのランダムカウンタの値がパチンコ遊技中の所定のタイミングで読出され、その値に基づいて可変表示装置４の変動表示動作が制御される。ランダムカウンタのカウント値の読出処理は、遊技制御基板５４ａの内部に設けられたＣＰＵが制御用ＲＯＭの制御プログラムに従って実行する。
【００４９】
ＷＣ  ＲＮＤ１は、可変表示装置４における特別図柄の変動表示の結果、大当りを発生させるか否かを事前に決定するための大当り決定用ランダムカウンタである。ＷＣ  ＲＮＤ１は、キースイッチ７９（図４参照）の設定操作により決定される、設定１〜設定３の３種類のカウンタ値範囲を有する。設定１では、０〜２９３の範囲で、カウンタ値が０．００２秒ごとに１つずつカウントアップされる。そして、その上限までカウントアップされると、再度０からカウントをし直すように構成されている。設定２の場合には、０〜３７７の範囲でカウンタ値が設定１と同様にカウントアップされる。設定３では、０〜４０７の範囲でカウンタ値が設定１と同様にカウントアップされる。
【００５０】
ＷＣ  ＲＮＤ  Ｌ、ＷＣ  ＲＮＤ  Ｃ、ＷＣ  ＲＮＤ  Ｒは、可変表示装置４の特別図柄の変動表示の結果、大当り以外とすることが事前に決定された場合に左側、中央、右側の図柄表示領域のそれぞれにおいて停止表示させる特別図柄の種類を決定するためのランダムカウンタである。ＷＣ  ＲＮＤ  Ｌのカウント範囲は、０〜１２である。また、ＷＣ  ＲＮＤ  Ｃのカウント範囲は０〜１５である。また、ＷＣ  ＲＮＤ  Ｒのカウント範囲は、０〜１２である。ＷＣ  ＲＮＤ  Ｌのカウンタ値は０．００２秒ごとに１つずつカウントアップされる。ＷＣ
ＲＮＤ  Ｃのカウンタ値は０．００２秒ごとに１つずつカウントアップされるとともに、制御プログラムの割込処理動作の余り時間を利用してカウントアップされる。ＷＣ  ＲＮＤ  Ｒのカウンタ値はＷＣ  ＲＮＤ  Ｃの桁上げのとき１つずつカウントアップされる。ＷＣ  ＲＮＤ  ＲＣＨは、複数のリーチ動作の中から所定のリーチ動作を指定するためのリーチ動作指定数を決定するためのランダムカウンタである。ここで「リーチ」とは、可変表示装置４の可変表示部５において、当り図柄が２個揃って停止表示され、さらに、あと１個の当り図柄が停止表示されれば大当りが発生する状態を言う。このＷＣ  ＲＮＤ  ＲＣＨにより決定されるリーチの種類の中には、最終的に大当たりの組合せとなる場合の手順も含まれている。ＷＣ  ＲＮＤ  ＲＣＨのカウンタ値は、０．００２秒ごとに１つずつカウントアップされるとともに、制御プログラムの割込処理動作の余り時間を利用して１つずつカウントアップされる。
【００５１】
図６ないし図８は、ランダムカウンタＷＣ  ＲＮＤ１の値により大当りを発生させるか否かを事前に決定するための制御手順を示すフローチャートである。同図を参照して、可変表示装置４における特別図柄の変動表示の結果を大当りとするかまたは大当り以外とするかを決定し、さらに、可変表示部５に停止表示される左図柄、中図柄、右図柄の種類を決定するための手順について説明する。
【００５２】
図６は、前述した大当り発生確率が設定１に設定されている場合のフローチャートである。ＷＣ  ＲＮＤ１の値が「７」であれば大当りとなり、「７」以外であれば大当り以外となる。なお、高確率状態においては、ＷＣ  ＲＮＤ１が「７」，「１１」，「７９」のうち、いずれかであれば大当りとなり、これらの値以外であれば大当り以外となる。大当りとすることが決定された場合には、引続いてＷＣ  ＲＮＤ  Ｌの値を判定することにより、大当りを発生させるための特別図柄の種類を決定する。
【００５３】
一方、大当り以外とすることが決定された場合は、引続いて、ＷＣ  ＲＮＤ
Ｌ，ＷＣ  ＲＮＤ  Ｃ，ＷＣ  ＲＮＤ  Ｒの各値を判定することにより、停止表示させる左図柄，中図柄，右図柄の種類がそれぞれ決定される。なお、大当り以外とする場合に、決定された停止図柄の組合せが、偶然、大当りとなる組合せとなる場合は、ＷＣ  ＲＮＤ  Ｃの値から「１」を減算し、強制的に外れ図柄の組合せで停止表示するように調整する。
【００５４】
図７は、大当り発生確率が設定２に設定されている場合のフローチャートである。設定２の場合には、設定１と同様にＷＣ  ＲＮＤ１の値が「７」であれば大当りとし、「７」以外であれば大当り以外とすることが事前に決定される。なお、高確率状態においては設定１と異なり、「７」，「１１」，「７９」，「３０７」，「３１１」，「３３１」，「３７３」のうち、いずれかの値であれば大当りとし、これらの値以外であれば大当り以外とすることが事前に決定される。大当りとするか大当り以外とするかが決定された後、停止図柄の表示選択制御方法については、図６の設定１で述べた内容と同様であるので省略する。
【００５５】
図８は、大当り発生確率が設定３に設定されている場合のフローチャートである。設定３においては、設定１と同様にＷＣ  ＲＮＤ１の値が、「７」であれば大当りとし、「７」以外であれば大当り以外とすることが事前に決定される。なお、確率変動状態においては、設定１と異なりＷＣ  ＲＮＤ１の値が、「７」，「１１」，「７９」，「３０７」，「３１１」，「３３１」，「３７３」，「４０１」のうち、いずれかの値であれば大当りとし、これらの値以外の値であれば大当り以外とすることが事前に決定される。大当りとするか大当り以外とするかが事前に決定された後、停止図柄の表示選択制御方法については、図６の設定１で述べた内容と同様であるので省略する。
【００５６】
以上より、大当りが発生する確率は通常状態において設定１では、１／２９４に設定されており、設定２では１／３７８に設定されており、設定３では１／４０８に設定されている。一方、高確率状態において大当りが発生する確率は、設定１では３／２９４に設定されており、設定２では７／３７８に設定されており、設定３では８／４０８に設定されている。
【００５７】
図９は、高確率状態の発生動作を説明するための作用説明図である。ここで図９に示す条件装置とは、遊技制御基板５４ａ内のＲＯＭに記憶されている制御プログラムにより構成されたものであり、特定遊技状態（大当り状態）となれば停止状態から作動状態に切換わり、その大当り制御が終了するまで作動状態を維持する。そして、この特別遊技状態の発生時における可変表示装置４の表示結果が特別図柄の組合せとなっていれば、以降の大当りが発生する確率が向上する高確率状態に制御される。そして、高確率状態において大当りが発生すれば、再度大当り制御が開始されて条件装置が作動状態となる。２回目の大当りの発生時点における可変表示装置４の表示結果が、大当りとなる特別図柄の組合せであるが確率変動図柄の組合せでない場合には、その２回目の大当り制御が終了したとしても高確率状態にはならない。図９においては、特別図柄の組合せが「１」，「３」，「５」，「７」，「９」のうちいずれかのぞろ目であれば高確率状態となる確率変動図柄の組合せであることが示されている。そして、確率変動図柄の組合せにより大当りが発生したことに基づいて１回目、２回目の高確率状態が発生している。
【００５８】
図１０は、可変表示装置４に表示される特別図柄を示す図である。可変表示装置４の可変表示部５の左側に表示される左図柄と中央に表示される中図柄と右側に表示される右図柄それぞれの図柄が示されている。そして、図１０の左側に示された数字は、図柄ポジションを表わす番号であり、中図柄を構成する図柄には、それぞれ００から１５までの番号が割振られている。中図柄は「１」〜「９」の数字図柄と、「Ａ」〜「Ｇ」のアルファベット図柄より構成されている。一方、左図柄，右図柄を構成する図柄は、００から１２までの図柄ポジションに対して、順に「１」〜「９」の数字図柄と、「Ａ」〜「Ｄ」のアルファベット図柄より構成されている。これらの図柄が可変表示部５において変動表示され、その変動表示の結果、左図柄、中図柄、右図柄がすべて同一の図柄で停止すれば大当りが発生する。
【００５９】
図１１および図１２はパチンコ遊技機３４および３００から管理装置６３に入力される遊技情報を説明するための機能ブロック図である。図１１は図１および図２に示した第１種のパチンコ遊技機の場合を示し、図１２は図３に示した第３種のパチンコ遊技機の場合を示している。
【００６０】
図１および図２に示したパチンコ遊技機３４に設けられている払出制御基板５８ａから遊技制御基板５４ａに打玉の入賞に伴う入賞情報が転送される。遊技制御基板５４ａでは、その伝送されてきた入賞情報に基づいて打玉が入賞した入賞口に対応する入賞個数情報を払出制御基板５８ａに送り返す。払出制御基板５８ａでは、返信されてきた賞球個数情報に基づいて賞球の払出を行なう。また、カードユニット３５に設けられているカード処理機制御部７６からは遊技者の貸玉操作に従った貸玉指令信号が払出制御基板５８ａに送信される。そして払出制御基板５８ａは、この送信されてきた払出指令信号に従って貸玉を払出す。貸玉が良好に払出されれば払出制御基板５８ａは払出が行なわれた旨の信号をカード処理機制御部７６に返信する。
【００６１】
一方、払出制御基板５８ａは情報中継端子６９に、打玉の入賞に伴い払出された景品玉情報である補給情報（不利益情報），玉貸が行なわれた旨を表わす玉貸情報，その他、打玉の払出系統に何らかの異常が発生した場合にその異常の原因や種類を表わすエラーコードの情報を伝送する。そしてこれらの情報が情報中継端子６９から情報出力端子６２を介して管理装置６３の情報入力端子７０に送信される。
【００６２】
またカード処理機制御部７６は、挿入された共通カードが５００円カードか１０００円カードか５０００円カードかなどのカード額面に関する情報，ユニットナンバー情報，カードユニット３５に何らかの異常が発生した場合のその異常の原因や種類を表わすエラーコードの情報を情報中継端子６９に入力する。そしてそれらの情報が、情報出力端子６２を介して管理装置６３の情報入力端子７０に送信されて管理装置６３に入力される。
【００６３】
遊技制御基板５４ａは、情報中継端子６８と情報出力端子６２を介して管理装置６３の情報入力端子７０に、パチンコ遊技機３４の機種を特定する機種コード情報，特定遊技状態の発生確率の設定値情報，可変表示部５において大当りが発生した場合の特別図柄大当り情報（特定遊技状態の発生情報），その大当りが発生したときの大当り図柄に関する情報，可変表示部５において発生した大当りの図柄がラッキーナンバーであることを示す情報，可変入賞球装置１１が開放して第１の状態となったことに関する情報（大入賞口開放情報），特定遊技状態の発生確率が向上している状態であることを表わす確率変動中情報，始動口１０，１５に打玉が始動入賞したことを表わす特別図柄始動入賞情報，始動口１０，１５に始動入賞した打玉のうち有効に可変表示装置４を可変表示させるために用いられた有効始動入賞に関する情報である特別図柄有効始動情報，始動口１０，１５に入賞した打玉のうち可変表示装置４を可変表示させるために用いられることなく無効となった特別図柄無効始動情報，可変表示器２３に表示される普通図柄の可変表示開始のきっかけとなる通過口２４への打玉の入賞があった場合に、その旨を表わす普通図柄始動入賞情報，普通図柄始動入賞情報により通知される始動入賞のうち可変表示器２３を有効に可変表示させるのに用いられた有効始動入賞に関する情報である普通図柄有効始動入賞情報，可変表示器２３を可変表示させるのに用いられることなく無効となった始動入賞に関する情報である普通図柄無効始動入賞情報，可変入賞球装置１１への打玉の入賞個数に関する情報である大入賞口入賞情報，特定入賞領域（Ｖポケット）への打玉の入賞に関するＶ入賞情報，確率向上状態以外での通常状態において始動口１０，１５に入賞した打玉のうち可変表示装置４を有効に可変表示させるために用いられた有効始動入賞に関する情報である確率変動外有効始動情報，可変表示部５において、いわゆるリーチが成立していることを表わすリーチ情報などを送信する。情報入力端子７０は送信されてきたそれらの情報を管理装置６３に入力する。管理装置６３には、ＣＰＵ６５，ＲＯＭ６６，ＲＡＭ６７が設けられており、入力されたそれらの情報を集計して記憶する。前記有効始動情報を集計するのは、第１種のパチンコ遊技機３４の場合、前述したように始動入賞記憶の上限がたとえば「４」に定められており、その上限を超えて入賞した始動入賞玉は無効となり、可変表示制御には用いられないため実際に可変表示制御に用いられた有効な始動入賞回数を知りたいという遊技場のニーズに応えるためである。なお、この実施の形態では、始動入賞情報に関して、有効始動入賞情報，無効始動入賞情報および有効始動入賞であるか無効始動入賞であるかを区別することなく始動入賞があれば出力される全始動入賞情報（有効始動入賞情報＋無効始動入賞情報）がすべて出力されるように構成されているが、これらの３種類の情報のうち、いずれか２種類のみが出力されるように構成してもよい。すなわち、前述した３種類の始動入賞情報のうち少なくとも２種類の始動入賞情報が出力されることで、出力されることのない始動入賞情報は出力された２種類の始動入賞情報から算出可能であり、この算出機能を管理装置６３側に設けることで３種類の情報が把握される。
【００６４】
遊技領域３内に打込まれた打玉が打込玉センサ７８により検出されれば、その打込情報が情報入力端子７０を介して管理装置６３に入力される。
【００６５】
図１２は、図３に示した第３種のパチンコ遊技機３００から出力されるデータを示している。図１１の場合と同様の部分は説明の繰り返しを省略し、ここでは主に相違点についてのみ説明する。
【００６６】
遊技制御基板５４ａから情報出力端子６２，情報入力端子７０を介して管理装置６３に送信される情報のうち、権利発生中情報とは、図３に示した第３種のパチンコ遊技機３００における権利入賞口（特別装置作動口）３３２へ打玉が入賞して権利発生状態（特定遊技状態）となった場合に、その権利発生中であることを示す情報（特定遊技状態の発生情報）である。大当り図柄情報とは、普通可変表示装置３０２の可変停止時の表示結果が普通可変入賞球装置３０６を第１の状態にして大当り状態に移行させる図柄になった場合のその大当り図柄に関する情報である。普通図柄有効始動（入賞）情報とは、普通図柄始動入賞玉のうち、実際に普通可変表示装置を可変開始させるのに用いられた入賞玉情報（遊技装置の遊技のための実行に関する情報）である。特別装置入賞情報とは、権利入賞口（特別装置作動口）３３２に打玉が入賞したことに関する情報である。普通電役開放情報とは、普通可変入賞球装置（普通電役）３０６が開放して第１の状態となったことに関する情報である。普通電役入賞情報とは、普通可変入賞球装置（普通電役）３０６への打玉の入賞個数に関する情報である。なお、図示していないが、図１１と同様に普通図柄無効始動入賞情報が出力される。あるいは、普通図柄始動入賞情報，普通図柄有効始動入賞情報，普通図柄無効始動入賞情報のうち、いずれか２種類の情報のみが出力されるように構成してもよい。
【００６７】
図１３は、パチンコ遊技機３４の遊技制御基板５４ａにおける始動入賞情報の処理に関するブロック図である。始動入賞検出手段の一例となる始動玉検出器２６，２９により始動入賞が検知されると、その旨が始動入賞情報発信制御手段７３へ入力される。始動入賞情報発信制御手段７３は、計時手段７１に基づいて情報中継手段へ出力する全始動入賞情報の出力時間間隔が少なくとも所定時間以上となるように出力制御を行なう。具体的には、全始動入賞情報を出力してから所定時間が経過する以前に始動入賞検知手段２６，２９より始動入賞の検知情報が入力されれば、所定時間となるまで検知情報を計数手段７２へ記憶させておき、所定時間となった際に計数手段７２の記憶に基づいて全始動入賞情報を出力する。すなわち、全始動入賞情報を出力してから所定時間内に検出された始動入賞は計数手段７２を用いてバッファリングが行なわれて、計時手段７１で所定時間が計時されるごとにバッファメモリとしての計数手段７２の記憶値に基づいて順次全始動入賞情報が出力されるように構成されている。また、計時手段７１は、全始動入賞情報の出力時間を調整するためにも使用される。具体的には、図１４で後述する全始動入賞情報のパルス幅を調整するものであり、たとえば、パルスが０．５秒間立上がった状態となるように調整する。なお、全始動入賞情報を出力してから所定時間経過後に始動入賞が検知されれば、計数手段７２の記憶がない状態であれば一旦計数手段７２にバッファリングされるものの即座に始動入賞情報発信制御手段７３から情報中継手段へ全始動入賞情報として出力される。また、パチンコ遊技機３４では前記所定時間は、たとえば、０．５秒に設定されている。
【００６８】
一方、可変表示装置４の可変表示制御が終了して停止図柄が導出されれば、その旨が図柄確定検知手段７５で検知される。そして、その検知情報が有効始動情報発信手段７４へ入力される。有効始動情報発信手段７４は、その検知情報に基づいて有効始動情報を情報中継手段へ出力する。計時手段８１は計時手段７１と同様に、有効始動情報のパルス幅を調整するのに用いられる。
【００６９】
なお、有効始動情報発信手段７４に始動入賞情報発信制御手段７３で見られるような計数手段７２が設けられていないのは、可変表示装置４の可変表示時間が常に０．５秒以上であるために有効始動情報の出力時間を調整しなくとも、その出力時間間隔は常に０．５秒以上となるからである。
【００７０】
もちろん、前記所定時間の設定と可変表示時間の長さとの関係において、出力時間間隔の調整が必要であれば、有効始動情報発信手段７４に計数手段７２を設けて出力時間間隔の制御を行なうように構成してもよい。
【００７１】
始動入賞情報発信制御手段７３，有効始動情報発信手段７４，図柄確定検知手段７５は遊技制御基板５４ａ内に設けられているＣＰＵで構成されており、計時手段７１，計数手段７２，計時手段８１はＲＡＭで構成されている。また、情報中継手段は中継基板６１で構成されている。
【００７２】
図１４は、遊技制御基板５４ａから出力される全始動入賞情報（全始動入賞玉信号）と有効始動情報（図柄確定信号）の出力タイミングを示すタイミングチャートである。
【００７３】
「入賞玉検出器（始動玉検出器２６，２９）」における丸付数字１〜丸付数字５の５回の始動入賞の検出に基づいて「始動記憶」の始動記憶数が変化する。「始動記憶」の枠内の数字はその時点における始動記憶数を表わし、下向き矢印は、可変表示装置４の可変表示が開始された時点を表わす。
【００７４】
始動入賞丸付数字１のあった時点で可変表示が開始（「始動記憶」の１つ目の下向き矢印）しているので、それまで「３」であった始動記憶が可変表示の開始に基づいて一旦、「２（図示省略）」となり、即座に始動入賞丸付数字１に基づいて「３」となる。
【００７５】
引続いて始動入賞丸付数字２に基づいて始動記憶が「４」となる。さらに始動入賞丸付数字３のあった時点で可変表示が開始（「始動記憶」の２つ目の下向き矢印）しているので、それまで「４」であった始動記憶が可変表示の開始に基づいて一旦「３（図示省略）」となり、即座に始動入賞丸付数字３に基づいて「４」となる。
【００７６】
引続いて、始動入賞丸付数字４が発生するが、始動記憶は上限値「４」に達しているために、始動記憶の加算更新はなされない。したがって始動入賞丸付数字４は無効始動入賞となる。このように制御することにより、複数の始動入賞が短期間に集中して成立した場合であっても情報の受け側である管理装置が始動入賞情報を認識し切れずに、それらの欠落が生じるといった不都合を回避することができる。また、それにより管理装置は始動入賞状況を正確に把握できるとともに、それにより算出される各種遊技データも正確に算出できるようになった。
【００７７】
その後、可変表示が開始（「始動記憶」の３つ目の下向き矢印）することに基づいて始動記憶が減算されて「３」となる。
【００７８】
さらに、丸付数字１の始動入賞に基づいて始動記憶が「３」となってから３回目の可変表示が開始する。この可変表示はすなわち丸付数字１の始動入賞に基づいて行なわれるものであり、以降、引続いて丸付数字２，丸付数字３の始動入賞に基づく可変表示が行なわれる。下向き矢印丸付数字１〜丸付数字３，丸付数字５はそれぞれの始動入賞に基づく可変表示がなされる時点を示す。なお、丸付数字４は無効始動入賞となっているために、丸付数字４に基づく可変表示が行なわれない。
【００７９】
「図柄確定信号」は有効始動情報を表わし、前述のとおり、可変表示制御が終了して図柄が停止表示された際に出力される。たとえば、図において丸付数字１の可変表示制御が終了して丸付数字２の可変表示制御が行なわれる際に丸付数字１の可変表示制御終了に基づいた有効始動情報が出力される。すなわち、丸付数字１の始動入賞に基づいた可変表示が終了した時点において初めて、丸付数字１に基づいた有効始動情報が出力される。同様にして、丸付数字２の始動入賞に基づく可変表示制御が終了した際に丸付数字２の有効始動情報が出力されるとともに丸付数字３の始動入賞に基づく可変表示制御が開始される。さらに、丸付数字３の可変表示制御が終了した際に丸付数字３の有効始動情報が出力されるとともに、丸付数字４の始動入賞は無効であるため丸付数字５の始動入賞に基づく可変表示制御が開始される。
【００８０】
「全始動入賞玉信号」は全始動入賞情報を表わし、有効始動玉であるか無効始動玉であるかを問わず、始動口への打玉の入賞があるごとに出力される信号である。
【００８１】
全始動入賞情報は「入賞玉検出器」で検出される始動玉信号のパルスの立下がりに呼応して０．５秒間の時間幅をもって出力される。たとえば、丸付数字１，丸付数字２の「入賞玉検出器」におけるパルスの立下がりに呼応して全始動入賞情報である全始動入賞玉信号丸付数字１，丸付数字２がそれぞれ０．５秒間立上がっているのが図に示されている。ただし、図１３で説明したように、全始動入賞玉信号の出力間隔は常に０．５秒以上となるように制御されるので、たとえば丸付数字３の全始動入賞玉信号に関しては、「入賞玉検出器」における丸付数字３のパルスの立下がりに遅れて、丸付数字２の全始動入賞玉信号のパルスが立下がった時点から０．５秒後に出力されているのがわかる。丸付数字４の全始動入賞玉信号についても同様である。なお、各パルス内の「有効」は有効始動玉に基づく信号であることを意味し、「無効」は無効始動玉に基づく信号であることを意味している。
【００８２】
図１５は、全始動入賞情報，有効始動情報，大当り情報の各遊技情報をセットするための制御手順を示すフローチャートである。遊技制御基板５４ａ内のＣＰＵは、このフローチャートに示す制御手順に従って各遊技情報のデータをセットする。そして、情報出力データとしてセットした後、各データを出力する。
【００８３】
まず、Ｓ１において情報出力データのクリア処理がなされる。次にＳ２に進み、図柄確定回数情報タイマのタイマ値を更新（−１）して、タイマが終了したか否かの判定がなされる。タイマが終了しておれば、Ｓ４に進み、一方、終了していなければＳ３に進み、図柄確定回数情報がセットされる。
【００８４】
ここで、図柄確定回数情報とは、有効始動情報を意味する。したがって、Ｓ２における図柄確定回数情報タイマとは、図１３に示した計時手段８１のことである。すなわち、このフローチャートが繰返し実行されている間は、Ｓ２において図柄確定回数情報タイマのタイマ更新処理が終了するまで繰返しＳ３で有効始動情報がセットされる。図柄確定回路情報タイマで計数される時間は、たとえば０．５秒であり、０．５秒間、有効始動情報が出力されることになる。これにより、図１４に示した有効始動情報（図柄確定信号）のパルス幅が、たとえば０．５秒の時間幅となる。
【００８５】
次に、Ｓ４に進み、大当り情報の出力条件となっているか否か、すなわち大当りが発生しているか否かが判断されて、大当りが発生しておればＳ５に進み、大当り情報がセットされる。
【００８６】
Ｓ４で大当りが発生していないか、あるいはＳ５で大当り情報がセットされた後にＳ６に進み、始動口情報が出力中であるか否かが判断される。ここで、始動口情報とは、全始動入賞情報を意味する。すなわち、Ｓ６では、図１４において説明した全始動入賞情報（全始動入賞玉信号）のパルスが立上がった状態にあるか否かが判断される。
【００８７】
全始動入賞情報が出力中であると判断された場合には、Ｓ９に進み、始動口情報タイマが更新（−１）されて出力中以外か、すなわちタイマが終了したか否かが判断される。始動口情報タイマとは、図１３に示した計時手段７１である。したがって、Ｓ９により、出力中の全始動入賞情報のパルス幅が０．５秒の時間幅となっているか否かが判断される。始動口情報タイマが終了していなければ、Ｓ１０に進み、全始動入賞情報を継続して出力すべく始動口情報（全始動入賞情報）がセットされる。
【００８８】
一方、Ｓ６において始動口情報（全始動入賞情報）が出力中でないと判断された場合には、Ｓ７に進み、始動口情報カウンタのカウンタ値が０であるか否かが判断される。始動口情報カウンタは、図１３において説明した計数手段７２により構成される。すなわち、計数手段７２内に始動入賞の検出情報が記憶されているか否かの判断がなされる。
【００８９】
始動口情報カウンタのカウンタ値が０である場合にはＳ１１に進み、一方、０でない場合にはＳ８に進み、始動口情報カウンタが更新（−１）されるとともに始動口情報タイマがセットされる。すなわち、新たに全始動入賞情報を出力すべく、その出力時間を制御するためのタイマがセットされるのである。その後、前述したＳ９の判断がなされて、ＮＯと判断された場合にはＳ１０に進み、始動口情報がセットされる。
【００９０】
以上の制御手順によって、Ｓ３，Ｓ５，Ｓ１０でしかるべき遊技情報がセットされた後、Ｓ１１に進み、各遊技情報を出力すべく、情報出力データがセットされて処理が終了する。
【００９１】
図１６は、始動入賞が発生した場合に、遊技制御基板５４ａのＣＰＵにおいて行なわれる制御の手順を示すフローチャートである。
【００９２】
始動入賞が発生すれば、その旨が始動玉検出器２６，２９により検出される。そして、ＳＡ１において、入賞記憶数が最大値以上であるか否か、すなわち、始動記憶数が既に所定値に達しているか否かが判断される。具体的には、始動記憶数が既に「４」に達しているか否かが判断される。入賞記憶数（始動記憶数）が既に所定値に達している場合には、ＳＡ６に進み、始動口情報カウンタのカウンタ値が更新（＋１）されて処理が終了する。始動口情報カウンタとは、前述のとおり図１３の計数手段７２により構成されている。
【００９３】
一方、入賞記憶数が所定値に達していない場合にはＳＡ２に進み、入賞記憶数に対応するバンクポインタの算出が行なわれる。具体的には、始動記憶数１〜４に対応して設けられた記憶領域のアドレスの算出がなされる。この記憶領域は、遊技制御基板５４ａ内に構成されているＲＡＭ内に設けられており、始動入賞に対応して前述した各種ランダムカウンタが格納される。このような記憶領域を、特にランダム格納バンクと呼ぶ。次に、ＳＡ３に進み、大当り判定用のランダムカウンタＷＣ  ＲＮＤ１の値がＳＡ２で算出されたアドレスに対応するランダム格納バンク内に格納される。次にＳＡ４に進み、可変表示装置４で停止表示されるリール停止図柄を決定づけるＷＣ  ＲＮＤ  Ｌ，ＷＣ  ＲＮＤ  Ｃ，ＷＣ  ＲＮＤ  Ｒの各ランダムカウンタ値がＳＡ３で格納されている大当り判定用のランダムカウンタＷＣ  ＲＮＤ１と対応づけてランダム格納バンク内に格納される。
【００９４】
次にＳＡ５に進み、入賞記憶カウンタが更新（＋１）される。入賞記憶カウンタとは、ＳＡ１の判断に用いられるカウンタであり、入賞記憶カウンタのカウンタ値が「４」以上であればＳＡ１においてＹＥＳの判断がなされ、一方、「４」未満であればＮＯの判断がなされる。入賞記憶カウンタは、遊技制御基板５４ａ内に構成されているＲＡＭにより構成される。
【００９５】
ＳＡ５で入賞記憶カウンタの更新がなされた後、あるいは、ＳＡ１において入賞記憶数が最大値以上であると判断された場合には、ＳＡ６に進み、始動口情報カウンタが更新（＋１）されて処理が終了する。
【００９６】
図１６のフローチャートに示したように、パチンコ遊技機３４においては、始動入賞の発生が入賞記憶カウンタにより記憶された時点において、該始動入賞に基づいて大当りを発生させるか否かが事前に決定されているとともに、その停止図柄までもが事前に決定されている。
【００９７】
図１７ないし図２１は、中継基板６１の情報出力端子６２より外部出力される遊技情報の出力例を示す図である。本実施の形態に示すパチンコ遊技機３４の中継基板６１には、遊技制御基板５４から伝送される大当り情報，確率変動情報，普電開放向上状態情報を選択的に合成可能な出力合成回路８０（図２２参照）が設けられている。すなわち、図１７ないし図２１の出力例は、出力合成回路８０により合成される前述の３種類の遊技情報の出力例である。
【００９８】
これら３種類の遊技情報は、特にパチンコ遊技機の管理データの算出を行なう上で重要な情報となっている。パチンコ遊技機の管理データとして、たとえば「ベース」と「有効始動回数」が挙げられる。「ベース」とは、１００発の打込玉に対して平均して払出された賞球数であり、「有効始動回数」とは、遊技機稼働中に可変表示が行なわれた回数である。そして、これらのデータをもとに遊技盤面上の釘調整などが行なわれる。しかしながら、普通図柄の当り確率が向上しており、可動片１６が開成しやすい高確率状態や可変入賞球装置が開いて多量の入賞球が払出し可能となる特定遊技状態、あるいは始動入賞が容易となるように調整される普電開放向上状態において払出された賞球数が「ベース」に含まれていたり、「有効始動回数」のデータに含まれていたりすると、釘調整を行なうのにあたり、適当な参考データとならない恐れがある。なぜなら、通常状態における打玉の流れを調整するために釘調整が行なわれる場合があるからである。したがって、通常状態以外の遊技状態を除いた「ベース」あるいは「有効始動回数」の算出が必要となるのであり、このために前記３種類の遊技情報は必要不可欠なものである。
【００９９】
出力合成回路８０に入力されるこれらの３種類の遊技情報は、出力合成回路８０により選択的に合成されて２出力の情報として、情報出力端子６２より外部出力される。これにより、３種類の情報を出力端子６２の端子のうち、２つの端子を用いて遊技機外部の管理装置などに送信することができる。なお、管理装置との接続については、図２２および図２３を用いて後述する。
【０１００】
図１７は、確率変動情報と普電開放向上状態情報とが合成された確変普電開放情報と、大当り情報との出力例を示す図である。図を参照して、可変表示装置４において確率変動図柄の組合せ以外の図柄の組合せである、通常図柄により大当りが発生することに伴い、大当り情報がオフからオンとなり、大当りが発生した旨を示す情報が遊技機外部の管理装置へ出力される。また大当りが発生したことに伴い遊技状態が特定遊技状態となる。そして所定の繰返し継続制御が終了して遊技状態が特定遊技状態から通常状態に戻るタイミングに合わせて、大当り情報がオンからオフになり、繰返し継続制御が終了した旨が管理装置に通知される。なお、大当りを発生させた図柄の組合せは確率変動図柄の組合せではないので、繰返し継続制御が終了しても高確率状態にはならない。
【０１０１】
次に、大当りが確率変動図柄の組合せにより発生した場合には、大当りに伴う所定の繰返し継続制御が終了した後、高確率状態となるとともに確率変動情報がオフからオンになる。そして、１回目，２回目の大当りが発生するのに伴って、確率変動情報がオンからオフとなり、一方、大当り情報がオフからオンとなる。このように、図１７に示した確率変動情報は大当りが発生して特定遊技状態となっている間は出力されずオフの状態となっている。
【０１０２】
確率変動が生じてから１回目，２回目の大当りが通常図柄で発生して、２回目の大当りに伴う繰返し継続制御が終了した後、普通図柄の変動時間短縮制御がなされる普電開放向上状態となるとともに、その旨を示す普電開放向上状態情報がオフからオンとなる。なお、前述したように普電開放向上状態は変動時間短縮制御以外で構成してもよく、図において「時間」，「開放時間」，「回数向上」とあるのは、それぞれ前述した変動時間短縮制御、開閉時間延長制御、開成回数増加制御を表わす。そして、このうち、いずれの制御方法で普電開放向上状態が構成されてもよく、その構成に応じて普電開放向上状態情報が出力されることを意味する。普電開放向上状態情報は普電開放向上状態が終了するのに合わせてオンからオフとなる。
【０１０３】
図１８は、大当り情報と普電開放向上状態情報とが合成された大当り普電開放向上状態情報と、確率変動情報との出力例を示す図である。前述した図１７の出力例と比較して図１８の出力例では、大当り情報と普電開放向上状態情報とが合成されているので、２回目の高確率状態に大当りが発生してから、その大当りが終了して、さらに第２遊技状態が通常状態となるまで大当り普電開放向上状態情報が継続してオンの状態となっている。なお、確率変動情報は図１３と同じく、高確率状態時のみオンとなっている。
【０１０４】
図１９は、図１７と同様に確率変動情報と普電開放向上状態情報とが合成された確変普電開放向上状態情報と、大当り情報との出力例を示す図である。図１９の出力例は図１７の出力例と異なり、確率変動情報は確率変動図柄の組合せによる大当りが発生してから２回の大当りが終了するまで継続してオンの状態で出力されている。したがって、確変普電開放向上状態情報は、確率変動図柄の組合せによる大当りが発生してから普電開放向上状態が終了するまで継続してオンとなっている。このような構成にすれば、確変普電開放向上状態情報を参照することにより、管理装置側では、遊技状態が高確率状態かもしくは普電開放向上状態にあるか否かの把握が可能となる。したがって、この情報を参考にして前述した「ベース」や「有効始動回数」などの管理データを算出することが可能となる。
【０１０５】
図２０は、大当り情報と普電開放向上状態情報とが合成された大当り普電開放向上状態情報と、確率変動情報との出力例を示す図である。図２０の出力例に示す確率変動情報は図１８の出力例に示した確率変動情報と異なり、確率変動図柄の組合せによる大当りが発生してから２回の大当りが終了するまで継続してオンとなっている。なお、大当り普電開放向上状態情報の出力波形は図１８と同様である。
【０１０６】
図２１は、大当り情報および確率変動情報および普電開放向上状態情報が合成された大当り確変普電開放向上状態情報と、大当り情報により構成される出力例を示す図である。図２１に示す大当り確変普電開放向上状態情報は、通常状態以外の遊技状態（特定遊技状態，普電開放向上状態，高確率状態）においては、その出力が常にオンとなっている。したがって、出力がオフの期間は、遊技状態が通常状態にあることがわかる。そこで、管理装置側では、この情報１つが入力されることで遊技状態が通常状態にあるか否かを判断することができる。これにより、この種の情報を入力することのできる端子が１つしかない管理装置においても、通常状態の判断が可能となる。
【０１０７】
図２２は、中継基板６１と遊技制御基板５４ａ、および管理装置６３との接続を示すブロック図である。遊技制御基板５４ａから出力される各種遊技情報は中継基板６１の情報中継端子６８に入力される。遊技情報として、たとえば有効始動情報、全始動入賞情報、大当り情報、確率変動情報、普電開放向上状態情報が図に示されている。遊技制御基板５４ａから出力される各種遊技情報のうち、大当り情報、確率変動情報、普電開放向上状態情報は出力合成回路８０に入力される。一方、これらの情報以外の遊技情報は情報出力端子６２を介して管理装置６３に入力される。
【０１０８】
出力合成回路８０に入力された遊技情報は出力態様切換スイッチ６４の選択操作により定められる合成態様に応じて合成される。この合成は、それぞれ出力態様切換スイッチ６４のダイヤル位置「１」〜「５」に合わせて図１７ないし図２１に示した出力例のように行なわれる。合成が行なわれた後、情報出力端子６２から管理装置６３へ出力される。
【０１０９】
従来のパチンコ遊技機に、普電開放向上状態情報を外部出力可能なものは見られなかった。したがって、管理装置には従来より入力されていた遊技情報に加えて、普電開放向上状態情報を入力するための余剰端子がない場合が多い。そこで、本発明に係るパチンコ遊技機３４では、普電開放向上状態情報を新たに出力し得るとともに、従来の管理装置でこの情報をも受信することが可能となるように、大当り情報、確率変動情報、普電開放向上状態情報を合成して出力端子２つから外部出力可能となるように構成したのである。これにより、従来の管理装置に新たな端子を設けることなく普電開放向上状態情報をも入力させることが可能となった。情報出力端子６２から管理装置６３に入力されたこれら３種類の情報と同じく、情報出力端子６２から管理装置６３に入力された有効始動情報や全始動入賞情報、打込情報、入賞球払出し情報などにより、管理装置６３は通常状態におけるベースや有効始動回数を算出する。
【０１１０】
図２３は、出力合成回路８０における遊技情報合成に関するシステム例を示す図である。中継基板６１に入力された確率変動情報と普電開放向上状態情報は、出力合成回路８０内に構成されるＯＲ回路７７に入力される。また大当り情報はＯＲ回路７７に入力される信号とＯＲ回路７７に入力されることなく直接管理装置６３に入力される信号とに分岐する。なお、分岐した２つの大当り情報は、いずれも同一の情報内容であり、同一の信号である。ＯＲ回路７７では、入力された２種類の遊技情報の信号の和が演算されて、その和信号が大当り確変普電開放向上状態情報として管理装置６３に送信される。すなわち、図２３のシステム例により、図２１に示した出力が得られる。図１７ないし図２０に示した出力もＯＲ回路７７に入力する遊技情報を切換えることで得ることができる。図１７に示す出力はＯＲ回路７７に確率変動情報と普電開放向上状態情報を入力することで得られて、図１８に示す出力はＯＲ回路７７に大当り情報と普電開放向上状態情報とを入力することで得られて、図１９に示す出力はＯＲ回路７７に確率変動情報と普電開放向上状態情報を入力することで得られて、図２０に示す出力はＯＲ回路７７に大当り情報と普電開放向上状態情報を入力することで得られる。ＯＲ回路７７にどの種類の情報を入力するかを切換えて選択する選択手段は、前述の出力態様切換スイッチ６４により構成されている。これにより、管理装置６３の種類等により出力態様を切換えられるため、さまざまな管理装置６３に最適な形で出力できる。
【０１１１】
図２４ないし図２６は、管理装置６３から出力される各種遊技管理情報の出力フォーマット例である。各図において「Ｓ単位時間」は、後述する「低確Ｓ」，「高確Ｓ」，「平均Ｓ」，「最大入」，「最小入」の各データの算出単位時間を示している。単位時間は３０秒，１分，１０分の中から任意に選択でき、図２４および図２５は３０秒が選択されたフォーマットである。出力フォーマットには、遊技機の各台番ごとに各種データが表示されて、さらに各データの平均値あるいは合計値が表示されるよう構成されている。
【０１１２】
図２４は図１および図２に示した第１種のパチンコ遊技機３４に関しての出力フォーマット例である。「打込」は、遊技領域３に打込まれた打玉の累計数を表わしている。「補給」は、遊技機設置島６４からパチンコ遊技機３４に補給された補給玉の累計数を表わしている。「差玉」は、「打込」と「補給」との差数を示している。「稼動」は遊技機の累計稼動時間を示しており、図１１または図１２に示した打込玉センサ７８により検出される打玉の弾発数に基づいた時間が表示される。「特回」は、大当りが発生した累計回数である。「確変」は、高確率状態が発生した累計回数である。「−差」および「＋差」は、「差玉」の推移におけるマイナス側の最大値およびプラス側の最大値を表わす差玉数である。「低確Ｂ」は、低確率状態（高確率状態でない通常状態）におけるベース値であり、「低確率時の補給玉数×１分間の発射数／低確率時の打込玉数」である。「高確Ｂ」は、高確率状態におけるベース値であり、「高確率時の補給玉数×１分間の発射数／高確率時の打込玉数」である。「平均Ｂ」は、大当り発生時以外におけるベース値であり、「（補給玉数−大当り状態中の補給玉数）×１分間の発射数／（打込玉数−大当り状態中の打込玉数）」である。「低確Ｓ」は、低確率状態における単位時間当りの有効始動入賞回数であり、「（低確率時の有効始動入賞回数×単位時間当りの発射数）／低確率時の打込玉数」である。「高確Ｓ」は、高確率状態における単位時間当りの有効始動入賞回数であり、「（高確率時の有効始動入賞回数×単位時間当りの発射数）／高確率時の打込玉数」である。「平均Ｓ」は、低確率状態および高確率状態を含めた単位時間当りの有効始動入賞回数であり、「（低確率時の有効始動入賞回数＋高確率時の有効始動入賞回数）×単位時間当りの発射数／（低確率時の打込玉数＋高確率時の打込玉数）」である。
【０１１３】
ここで、「低確Ｓ」，「高確Ｓ」，「平均Ｓ」における各データの算出にかかる単位時間は、前述のとおり、管理装置６３の操作により３０秒、１分、１０分のうちのいずれかを選択でき、図２４の場合には単位時間として３０秒が選択されていることが「Ｓ単位時間」の欄より認識できる。よって「単位時間あたりの発射数」とは、この場合、３０秒間あたりの発射数となる。パチンコ遊技機３４の場合には、打球操作ハンドル４４（図２参照）が操作されて連続して打玉が発射されている際の１分間あたりの発射数は「１００発」である。したがって、図２４における「単位時間あたりの発射数」は「５０発」となる。
【０１１４】
「無効入」は、無効始動入賞回数の累計値である。「全始入」は、全始動入賞回数（無効始動入賞回数＋有効始動入賞回数）の累計値である。「最大入」は、単位時間毎の有効始動入賞回数のうち、最大の有効始動入賞回数である。「最小入」は、単位時間毎の有効始動入賞回数のうち、最小の有効始動入賞回数である。図２４においては、「最大入」と「最小入」には、それぞれ単位時間３０秒とした場合の全始動入賞回数の最大値と最小値とが表示される。
【０１１５】
「ＴＳ」は、大当りが発生してから次回大当りが発生するまでの有効始動入賞回数の平均値である。「ＴＹ」は、大当り１回についての平均出玉数である。「平均Ｉ」は、大当りが発生してから次回大当りが発生するまでの間の打込玉数の平均値である。「割数」は、「（売上玉数−差玉数）／売上玉数」である。「設定」には、釘調整が終了しているか否かなどのチェックなどが行なわれる。
【０１１６】
なお、「低確Ｓ」，「高確Ｓ」，「平均Ｓ」の算出においては、それぞれ有効始動入賞回数を用いたが、全始動入賞回数や無効始動入賞回数を用いて算出してもよい。これらのデータにより遊技店は全始動入賞数などの入賞情報を得られるため、有効始動数のみを釘調整用データとして用いた場合よりもさらに遊技機の状態を知ることができ、高い精度での釘調整が可能となる。
【０１１７】
図２５は、図３に示した第３種のパチンコ遊技機３００に関しての出力フォーマット例である。出力フォーマットに表示されるデータのうち、図２４において説明したものと重複するものは説明を省略し、異なるもののみの説明を行なう。「Ｂ」は、大当り状態以外におけるベース値であり「（補給玉数−大当り状態中の補給玉数）×１分間の発射数／（打込玉数−大当り状態中の打込玉数）」である。「ＴＯ」は、大当り状態発生中に遊技領域に打込まれた打玉数である。「有効Ｓ」は、有効始動入賞回数である。
【０１１８】
図２６は、始動入賞に関する情報のみを単位時間毎にまとめて出力した出力フォーマット例を示す。「低確Ｓ」，「高確Ｓ」，「平均Ｓ」，「無効入」，「全始入」，「最大入」，「最小入」，の各項目のデータについて、それぞれ３０秒，１分，１０分当りのデータが表示されている。このような出力フォーマットによれば、たとえば同一番台の遊技機において１０分当りの最大有効始動入賞回数と最小有効始動入賞回数とが、さほどの開きがなくても、３０秒当りの最大有効始動入賞回数と最小有効始動入賞回数との開きが大きい場合には、短い周期で有効始動入賞の発生にばらつきが生じていることが一瞥して認識することが可能となる。なお、各データの説明については図２４と重複するので省略する。
【０１１９】
以下に、以上説明した発明の実施の形態の特徴点や変形例を記載する。
（１）  図１３で説明したように、パチンコ遊技機３４の遊技制御基板５４ａで全始動入賞情報の出力時間間隔が制御される。しかしながら、この制御が中継基板６１で行なわれるように構成してもよい。また、パチンコ遊技機３４では出力時間間隔を、たとえば０．５秒に構成したが、これ以外の時間であってもよく、また、パチンコ遊技機３４に設けた所定のスイッチなどでこの時間を自由に選択できるように構成してもよい。
【０１２０】
（２）  また、有効始動情報については、可変表示装置４の可変表示結果が導出表示されたタイミングに合わせて出力されるように構成した。これにより、管理装置側では、遊技機から出力される有効始動情報を可変表示装置４の可変表示がなされた回数にかかわる情報ととらえて、可変表示制御実行回数を正確に把握できる。したがって、大当りの発生に基づいて大当り情報が管理装置に入力された場合に、管理装置では、前回大当り情報が入力されてから今回大当り情報が入力されるまでに遊技機から入力された有効始動情報の数に基づいて、可変表示回数に対する大当りの発生率を正確に算出することが可能となる。
【０１２１】
あるいは、大当りが発生してから、次回大当りが発生するまでの有効始動入賞回数が把握できることより、これを基に前述した「ＴＳ」に関するデータを正確に算出することも可能となる。すなわち、有効始動入賞の発生したタイミングで「ＴＳ」の算出に必要となる有効始動情報を出力した場合には、その情報の中には、可変表示が終了していないタイミングで始動入賞が発生したためにその入賞が始動記憶されてしまい、有効始動情報の出力時点では未だ可変表示に有効に使用されていない始動入賞に関する情報も含まれるために、「ＴＳ」の算出にあたり始動記憶数分の誤差を生ずることになる。一方、実施の形態に示したように可変表示装置４の可変表示結果が導出表示されたタイミングに合わせて有効始動情報が出力されるように構成したために、このような誤差を生ずることのない、正確な「ＴＳ」を算出することが可能となるのである。
【０１２２】
（３）  もちろん、これらの効果を奏するために、必ずしも有効始動情報を可変表示装置４の可変表示結果が導出表示されたタイミングで出力するように構成する必要はなく、可変表示制御が開始してから所定時間経過後に出力するように構成してもよい。たとえば、所定時間を０．５秒にしてもよく、大当りが発生して大当り情報が管理装置に入力される場合に、その大当りの発生を誘発した始動入賞にかかわる有効始動情報が該大当り情報よりも先に遊技機から出力されさえすればよい。
【０１２３】
（４）  また、有効始動情報を可変表示結果が導出表示されたタイミング以降の所定期間経過後に出力するように構成すると前記有効始動情報が前記大当り情報よりも遅れる可能性があり、大当りの発生確率の算出時に、その有効始動情報が算出情報として取込まれない可能性がある。しかし、有効始動情報が常に前記所定時間経過後に出力されるのであれば、算出情報として取込まれなかった有効始動情報は、次回の大当り発生率や「ＴＳ」の算出情報として取込まれることになる。したがって、相対的に見れば、大当りの発生率の算出にあたり、（３）の構成に比べてみても、大当りの発生率等の正確性は維持できる。
【０１２４】
（５）  （２）で述べた構成、あるいは（４）で述べた構成によれば、常に有効始動に基づいた可変表示制御が終了して、可変表示結果が導出表示されて以降に該有効始動入賞に基づいた有効始動情報が出力される。すなわち、可変表示制御が終了するまでは有効始動情報は出力されないのであり、これにより、停電などの何らかのトラブルにより可変表示制御は中断されてしまう場合には有効始動情報が出力されない。したがって、管理装置側では、前述の大当り発生率等を算出するにあたり、真に可変表示制御のなされた回数として有効始動情報を活用でき、これにより、たとえば、正確な大当り発生率等を算出することができる。
【０１２５】
（６）  さらに、有効始動情報の出力タイミングについて、たとえば、始動入賞が発生した時点において、始動入賞記憶数の上限を超えることのない始動入賞であるか否かが判断されて、その結果に基づいて有効始動情報が即座に出力されるように構成することが考えられる。このような構成にすると、有効始動入賞に基づいた可変表示がなされていないにもかかわらず、可変表示制御に先行して次々と有効始動情報が出力されるので、大当りの発生率の算出などを目的とする場合には不適切な構成となる。しかし、有効始動入賞の発生状況をリアルタイムに把握する場合は利便性の高い構成となる。
【０１２６】
（７）  この場合には、有効始動入賞となる始動入賞が０．５秒以内に連続して発生した際に有効始動情報発信手段７４から０．５秒以内に２つ以上の有効始動情報が出力される恐れが生じる。この場合には、有効始動情報発信手段７４に対して全始動入賞情報発信規制手段７３と同様の計数手段７２を設けて、有効始動入賞が０．５秒以内に連続して検知されればバッファリングが行なわれるようにして、計時手段８１に基づいて常に０．５秒以上の間隔をもって有効始動情報が出力されるように構成する。
【０１２７】
（８）  パチンコ遊技機３４は、打玉が始動口１５あるいは始動口１０に入賞することにより可変表示装置４の可変表示がなされて、その導出結果が大当りとなる図柄の組合せとなることで、開閉板１２が開成して多量の入賞玉が発生可能な状態となる。この場合、大当りの発生により開閉板１２が開成している状態により、遊技者にとって有利な特定遊技状態が構成されている。さらに可変表示装置４において大当り図柄が導出表示されることにより、予め定められた遊技条件が構成されている。また、パチンコ遊技機３４では、大当りとなる図柄の組合せが確率変動図柄の組合せであった場合には、大当りの発生する確率が向上した高確率状態となる。また、２回目の高確率状態中に大当りが発生して、所定の繰返し継続制御が終了して確率の向上していない状態に戻った際、普通図柄の変動時間短縮制御がなされる普電開放向上状態となる。普電開放向上状態においては、可動片１６が頻繁に開くために始動口１５に頻繁に入賞しやすくなり、可変表示装置４の可変表示動作を行なわせるための第１の遊技条件が成立しやすくなるため、結果的に大当りが発生する確率は向上していなくとも短時間で大当りが発生しやすくなる。すなわち、このような高確率状態および普電開放向上状態により、前記特定遊技状態が成立しやすい特別遊技状態が構成されている。なお、パチンコ遊技機３４においては普電開放向上状態の一例として、普通図柄の変動時間が短縮される制御を示したが、これに限られるものではなく、前述した開成時間延長制御がなれてもよく、また、開成回数増加制御がなされてもよい。
【０１２８】
（９）  さらに、パチンコ遊技機３４の遊技状態が大当り状態以外でかつ高確率状態以外でかつ普電開放向上状態以外の遊技状態により、前記特定遊技状態以外でかつ前記特別遊技状態以外の通常遊技状態が構成されている。そして、本実施の形態では、前記通常遊技状態になっている期間を特定するために、図１７ないし図２１に示したような遊技情報の出力がなされる。すなわち、図１７ないし図２１の出力例により、前記特定遊技状態以外でかつ前記特別遊技状態以外の通常遊技状態になっている期間を特定するのに必要となる特定情報が構成されている。図１７ないし図２１に示した出力用情報は中継基板６１により生成されて、情報出力端子６０により出力される。すなわち、中継基板６１により、前記特定遊技状態以外でかつ前記特別遊技状態以外の通常遊技状態になっている期間を特定するのに必要となる特定情報を出力する情報出力手段が構成されている。
【０１２９】
（１０）  図２３に示したように、大当り情報、確率変動情報、普電開放向上状態情報を合成する出力合成回路８０は、中継基板６１に設けられている。また、合成態様を切換える出力対応切換スイッチ６４も中継基板６１に設けられている。すなわち、出力合成回路８０により、前記特定情報を合成する合成手段が構成されており、出力態様切換スイッチ６４により、操作により前記特定情報の合成態様を選択可能な合成態様選択操作手段が構成されている。また、遊技制御基板５４ａにより、遊技情報を生成する遊技情報生成手段が構成されている。しかしながら、出力合成回路８０と出力態様切換スイッチ６４を中継基板６１に設けることなく、遊技制御基板５４ａに設けてもよい。また、出力態様切換スイッチ６４の機能の１つとして、全始動入賞情報あるいは有効始動情報の出力時間間隔の最低値を選択できるように構成してもよい。なお、出力態様切換スイッチ６４はスライドスイッチや押しボタンスイッチ、スナップスイッチ、プッシュプルスイッチ、ロータリースイッチ、デジタルスイッチなどであってもよい。
【課題を解決するための手段の具体例】
【０１３０】
図１および図２または図３に示した第１種のパチンコ遊技機３４または第３種のパチンコ遊技機３００により、表示状態が変化可能な可変表示装置を有する遊技機が構成されている。本発明に係る遊技機はこれらのパチンコ遊技にのみ構成されるのではなく、たとえば、第２種のパチンコ遊技機や、スロットマシン、その他、表示状態が変化可能な可変表示装置を有する遊技機であればすべての遊技機が含まれる。
【０１３１】
図４に示した画像表示装置５５および図１３に示した遊技制御基板５４ａにより、遊技状態に応じて所定の可変表示条件が成立した場合に前記可変表示装置の表示結果を導出表示させる可変表示制御を行なう可変表示制御手段が構成されている。さらに、打玉が始動口１０，１５へ入賞することにより、前記可変表示条件が構成されている。
【０１３２】
図４に示す遊技制御基板ボックス５４内に構成されている遊技制御基板５４ａと中継基板６１により、前記可変表示条件の成立を表わす可変表示条件成立情報を該可変表示条件の成立ごとに遊技機外部へ出力可能な遊技情報出力手段が構成されている。さらに、図１３に示したブロック図に、前記可変表示条件成立情報の出力間隔が予め定められた期間以上となるように制御する制御内容にかかわる構成が開示されている。さらに、その制御内容は図１５に示したフローチャートに示されている。
【０１３３】
図１および図２に示したパチンコ遊技機は、打玉が始動口１０，１４へ入賞したことを条件として可変表示装置４の可変表示がなされる。一方、図３に示したパチンコ遊技機３００は打玉が普通図柄用始動口３０４に入賞したことに基づいて普通可変表示装置３０２における図柄の可変表示がなされる。いずれの遊技機においても、可変表示中に始動入賞が発生した場合には、その入賞個数が４個まで記憶される。このような始動入賞の記憶は遊技制御基板５４ａのＲＡＭによりなされている。すなわち、遊技制御基板５４ａにより、条件成立回数記憶手段が構成されている。
【０１３４】
図１６に示したように、始動入賞記憶数、すなわち、入賞記憶カウンタの値が最大値以上であればＳＡ１においてＹＥＳの判断がなされて、可変表示制御にかかわるＳＡ２〜ＳＡ５の制御がなされない。一方、入賞記憶カウンタのカウンタ値が最大値以上でなければＳＡ２〜ＳＡ５に示す制御がなされて、現在行なわれている可変表示制御が終了した後に引続いて可変表示制御を行なうための準備がなされる。すなわち、図１６のフローチャートに、前記可変表示制御を終了した後、再度可変表示制御可能となった場合に前記条件成立回数記憶手段の記憶に基づいて前記可変表示制御を行ない、一方、前記条件成立記憶手段の記憶数の上限を超えて成立した可変表示条件に基づいて前記可変表示制御を行なうことなく該可変表示条件を無効とする、可変表示制御手段の制御内容が開示されている。
【０１３５】
図１１に示した特別図柄全始動入賞情報，図１３に示した全始動入賞情報発信制御手段７３から出力される全始動入賞情報，図１４に示した全始動入賞玉信号，図１５に示した始動口情報，図２２，図２３に示した全始動入賞情報，図２４〜２６に示した全始動入賞情報は全て同一種類の情報であり、図１，図２に示した第１種のパチンコ遊技機３４においては打玉が始動口１０あるいは１５に入賞したことに基づいて発生する情報である。すなわち、有効始動情報と無効始動情報との和である全始動入賞情報を示している。図３に示した第３種のパチンコ遊技機３００の場合には、打玉が普通図柄用始動口３０４に入賞して始動入賞玉検出器３０５で検出されることに基づいて、この全始動入賞情報が出力されることになる。第３種のパチンコ遊技機３００における全始動入賞情報は、図１２に示す普通図柄全始動入賞情報で表わされている。すなわち、第１種のパチンコ遊技機３４および第３種のパチンコ遊技機３００における全始動入賞情報により、前記可変表示条件成立情報が構成されている。しかしながら、これにこだわることなく、可変表示条件成立情報として、無効始動入賞に関する情報である無効始動入賞情報が出力されるようにしてもよい。また、有効始動入賞に関する情報である有効始動情報が出力されるようにしてもよい。
【０１３６】
また、前記全始動入賞情報は可変表示装置４あるいは普通可変表示装置３０２における可変表示制御が有効に行なわれるか否かにかかわらず、打玉が始動口１０または１５に入賞すること、あるいは普通図柄用始動口３０４に入賞することを条件として出力される情報である。すなわち、この全始動入賞情報により、前記条件成立回数記憶手段の記憶数の上限を超えているか否かにかかわらず成立した可変表示条件である全可変表示条件の成立を表わす全可変表示条件成立情報が構成されている。
【０１３７】
さらに、図１１の特別図柄有効始動情報，図１２の普通図柄有効始動情報，図１３の有効始動情報発信手段７４から出力される有効始動情報，図１４に示した図柄確定信号，図１５に示した図柄確定回数情報，図２２および図２３に示した有効始動情報，図２５に示した「有効Ｓ」は、可変表示装置４あるいは普通可変表示装置３０２における可変表示を有効に行なわせることのできる始動入賞に関する情報である。すなわち、これらの情報により、前記条件成立記憶手段の記憶数の範囲内で成立して前記可変表示制御が有効に行なわれる有効可変表示条件の成立を表わす有効可変表示条件成立情報が構成されている。
【０１３８】
さらに、図１３に示した図柄確定検知手段７５および有効始動情報発信手段７４により、前記有効可変表示条件の成立に基づいた可変表示装置の表示結果が導出表示されて以降に該有効可変表示条件の成立を表わす有効可変表示条件成立情報が出力される。
【課題を解決するための手段の具体例の効果】
【０１３９】
請求項１記載の本発明によれば、前記可変表示条件成立情報の出力間隔が予め定められた期間以上となるように制御されるので、複数の前記可変表示条件成立情報が短期間に集中して成立した場合であってもそれらの可変表示条件成立情報は所定期間間隔をおいて順次出力されるために、該可変表示条件成立情報を受信する管理装置において該可変表示条件成立情報のすべてを短期間に処理しきれずに該可変表示条件成立情報の認識に欠落が生じるという不都合を防止でき、これにより、前記可変表示条件成立情報を管理装置で正確に計数することが可能となる。
【０１４０】
請求項２記載の本発明によれば、請求項１記載の発明の効果に加えて、前記可変表示条件成立情報として前記全可変表示条件成立情報と前記有効可変表示条件成立情報とが出力されるので、両情報を管理装置で正確に計数することが可能となるとともに、前記可変表示制御が有効に行なわれる有効可変表示条件の成立を表わす有効可変表示条件成立情報については該有効可変表示条件の成立に基づいた可変表示制御が開始してから所定時期に出力されるので、該有効可変表示条件成立情報を受信する管理装置においては、該有効可変表示条件成立情報を可変表示制御が実行された回数に関する情報とみなして、該有効可変表示条件成立情報を有効に活用することが可能となる。
【０１４１】
請求項３記載の本発明によれば、請求項２記載の発明の効果に加えて、前記有効可変表示条件の成立に基づいた可変表示装置の表示結果が導出表示されて以降に前記有効可変表示条件成立情報が出力され得るので、可変表示制御が何らかの要因により中断された場合には有効可変表示条件成立情報は出力されず、これにより、管理装置においては、前記可変表示装置の表示結果が正常に導出表示された可変表示制御の実行回数を把握することが可能となる。
【図面の簡単な説明】
【０１４２】
【図１】遊技機の一例のパチンコ遊技機に構成される遊技盤を示す図である。
【図２】遊技機の一例のパチンコ遊技機およびカード処理機を示す全体正面図である。
【図３】遊技機のさらに他の例を示すパチンコ遊技機およびカード処理機を示す全体正面図である。
【図４】パチンコ遊技機およびカード処理機の全体背面図である。
【図５】可変表示装置の可変表示制御に用いられる各種ランダムカウンタを説明する図である。
【図６】可変表示装置の可変表示制御動作を示すフローチャートである。
【図７】可変表示装置の可変表示制御動作を示すフローチャートである。
【図８】可変表示装置の可変表示制御動作を示すフローチャートである。
【図９】高確率状態の発生動作を説明するための作用説明図である。
【図１０】可変表示装置に表示される停止図柄を示す図である。
【図１１】図１および図２に示したパチンコ遊技機から管理装置に入力される情報の種類を説明するためのブロック図である。
【図１２】図３に示したパチンコ遊技機から管理装置に入力される情報の種類を説明するためのブロック図である。
【図１３】全始動入賞情報および有効始動情報の出力処理に関するブロック図である。
【図１４】全始動入賞情報および有効始動情報の出力のタイミングを示すタイミングチャート図である。
【図１５】大当り情報、有効始動情報、全始動入賞情報の各データをセットするための制御手順を示すフローチャートである。
【図１６】始動入賞が発生した場合の処理手順を示すフローチャートである。
【図１７】パチンコ遊技機から出力される遊技情報の出力例を示す図である。
【図１８】パチンコ遊技機から出力される遊技情報の出力例を示す図である。
【図１９】パチンコ遊技機から出力される遊技情報の出力例を示す図である。
【図２０】パチンコ遊技機から出力される遊技情報の出力例を示す図である。
【図２１】パチンコ遊技機から出力される遊技情報の出力例を示す図である。
【図２２】中継基板と遊技制御基板と管理装置との接続を示すブロック図である。
【図２３】出力合成回路のシステム構成例を示す図である。
【図２４】管理装置から出力される各種遊技情報の出力フォーマットを示す図である。
【図２５】管理装置から出力される各種遊技情報の出力フォーマットを示す図である。
【図２６】管理装置から出力される各種遊技情報の出力フォーマットを示す図である。
【符号の説明】
【０１４３】
３４はパチンコ遊技機（第１種パチンコ遊技機）、１０，１５は始動口、１４は可変始動口装置、６は始動記憶表示器、４は可変表示装置、１３は通過口、１７は可変表示器、６１は中継基板、６８，６９は情報中継端子、６２は情報出力端子、１８は通過記憶表示器、５４ａは遊技制御基板、３００はパチンコ遊技機（第３種パチンコ遊技機）、３０２は普通可変表示装置、３０４は普通図柄用始動口、３０３は始動入賞記憶数表示器、２６，２９は始動玉検出器、３０５は始動入賞玉検出器、５は可変表示部、５５は画像表示装置（ＣＲＴ表示器）、６４は出力態様切換スイッチ、８０は出力合成回路、７１は計時手段、７２は計数手段、７３は始動入賞情報発信制御手段、７４は有効始動情報発信手段、７５は図柄確定検知手段、８１は計時手段である。
【図１】
2006116341.tif 000003
【図２】
2006116341.tif 000004
【図３】
2006116341.tif 000005
【図４】
2006116341.tif 000006
【図５】
2006116341.tif 000007
【図６】
2006116341.tif 000008
【図７】
2006116341.tif 000009
【図８】
2006116341.tif 000010
【図９】
2006116341.tif 000011
【図１０】
2006116341.tif 000012
【図１１】
2006116341.tif 000013
【図１２】
2006116341.tif 000014
【図１３】
2006116341.tif 000015
【図１４】
2006116341.tif 000016
【図１５】
2006116341.tif 000017
【図１６】
2006116341.tif 000018
【図１７】
2006116341.tif 000019
【図１８】
2006116341.tif 000020
【図１９】
2006116341.tif 000021
【図２０】
2006116341.tif 000022
【図２１】
2006116341.tif 000023
【図２２】
2006116341.tif 000024
【図２３】
2006116341.tif 000025
【図２４】
2006116341.tif 000026
【図２５】
2006116341.tif 000027
【図２６】
2006116341.tif 000028